(57)【要約】【課題】既存の撮影台を改造等することなく、既存の撮影台を利用した場合でも適正にカセッテと外部機器を接続出来ること。【解決手段】電力の供給経路及び電気信号の転送経路を担うケーブルＣＢによって、カセッテ１３０とコンソール２０が接続されている。ケーブルＣＢには変形可能な平坦部Ｆが設けられており、蓋１２３Ａによりカセッテ収容部１２２の開口１２２Ａが塞がれても、平坦部Ｆの変形によりカセッテ１３０とコンソール２０との接続状態が確保される。【選択図】図４
2011139721.tif 000002
【特許請求の範囲】
【請求項１】
基板上に二次元的に配列された検出素子を内蔵し当該検出素子に照射された放射線量に応じた電気信号を出力する可搬型の放射線画像検出カセッテに対し、電力の供給経路又は電気信号の転送経路の少なくとも一方を担うカセッテ用ケーブルであって、
一部に変形可能な平坦部を有することを特徴とするカセッテ用ケーブル。
【請求項２】
前記平坦部の両側にコネクターが設置されていることを特徴とする請求項１に記載のカセッテ用ケーブル。
【請求項３】
前記平坦部と一方の前記コネクターとの距離と、前記平坦部と他方の前記コネクターとの距離が異なることを特徴とする請求項２に記載のカセッテ用ケーブル。
【請求項４】
前記平坦部の周囲にシールド部材が設置されていることを特徴とする請求項１から３の何れか１項に記載のカセッテ用ケーブル。
【請求項５】
前記平坦部の周囲に粘着剤が設置されていることを特徴とする請求項１から４の何れか１項に記載のカセッテ用ケーブル。
【請求項６】
前記平坦部は屈曲した形状であるとともに屈曲方向に付勢力を生ずる弾性を有することを特徴とする請求項１から５の何れか１項に記載のカセッテ用ケーブル。
【請求項７】
基板上に二次元的に配列された検出素子を内蔵し当該検出素子に照射された放射線量に応じた電気信号を出力する可搬型の放射線画像検出カセッテと、
当該放射線画像検出カセッテに対する電力の供給経路又は電気信号の転送経路の少なくとも一方を担うカセッテ用ケーブルと、を有し、
前記カセッテ用ケーブルの一部に変形可能な平坦部を有することを特徴とする放射線画像検出ユニット。
【請求項８】
基板上に二次元的に配列された検出素子を内蔵し当該検出素子に照射された放射線量に応じた電気信号を出力する可搬型の放射線画像検出カセッテと、
当該放射線画像検出カセッテがセットされる撮影台と、
当該放射線画像検出カセッテに対する電力の供給経路又は電気信号の転送経路の少なくとも一方を担うカセッテ用ケーブルと、を有し、
前記カセッテ用ケーブルの一部に変形可能な平坦部を有することを特徴とする放射線画像検出システム。
【発明の詳細な説明】
【技術分野】
【０００１】
本発明は、カセッテ用ケーブル、放射線画像検出ユニット及び放射線画像検出システムに関する。
【背景技術】
【０００２】
従来、医療診断の場において、蛍光体プレートを内蔵したＣＲ（Ｃｏｍｐｕｔｅｄ  Ｒａｄｉｏｇｒａｐｈｙ）カセッテを撮影台にセットし、撮影台にセットされたＣＲカセッテにより被写体に照射した放射線の画像を取得する放射線画像撮影方法があった。
【０００３】
また、近年ではＣＲカセッテに代わり、基板上に二次元的に配列された撮像素子を内蔵し、当該撮像素子に照射された放射線量に応じた電気信号を出力することが可能なＦＰＤ（Ｆｌａｔ  Ｐａｎｅｌ  Ｄｅｔｅｃｔｏｒ）が提案されている。このＦＰＤを用いれば、ＣＲカセッテを利用した放射線画像撮影方法のように励起光を照射して放射線画像を読み取る読取装置を必要とせず、直接的に放射線画像のデータを得るという即時性を確保することが出来る。
【０００４】
カセッテ型のＦＰＤを用いた放射線撮影装置の例として、特許文献１に記載された技術がある。特許文献１に記載された放射線撮影装置では、放射線画像を撮影する場合、まずＦＰＤカセッテ（特許文献１に記載された「電子カセッテ」が該当する）を患者とベッドとの間に挿入し、撮影したい範囲に配置する。ＦＰＤカセッテの配置が終了したら、ケーブルをＦＰＤカセッテの接続部に接続して、ＦＰＤカセッテと制御装置及び電源装置とを接続する。そして、ケーブルを介して、制御装置から制御信号、及び電源装置から電源供給を受けて、ＦＰＤカセッテが動作し、放射線画像を撮影する。放射線画像の撮影後は、ＦＰＤカセッテからケーブルを介して制御装置へ画像データが伝送される。
【０００５】
また、ＦＰＤカセッテのなかには、ＣＲシステム等における既存の撮影台にも使用可能にするため、ＪＩＳ規格に準拠したサイズとなっているものもある。
【先行技術文献】
【特許文献】
【０００６】
【特許文献１】特開２００３−１４４４２４号公報
【発明の概要】
【発明が解決しようとする課題】
【０００７】
ところで、ＣＲカセッテはＦＰＤカセッテと異なり、撮影台にセットされた状態で画像データ伝送用のケーブルが接続されないため、主にＣＲカセッテが使用される既存の撮影台にはケーブルを通すような構造になっていない場合が多い。
【０００８】
従って、既存の撮影台にＪＩＳ規格に準拠したサイズのＦＰＤカセッテをセットして放射線画像を撮影する場合には、ＦＰＤカセッテに接続されたケーブルを通すように既存の撮影台を改造等する必要があり、問題である。
【０００９】
そこで、本発明の目的は、既存の撮影台を改造等することなく、既存の撮影台を利用した場合でも適正にカセッテと外部機器を接続出来るカセッテ用ケーブル、放射線画像検出ユニット及び放射線画像検出システムを提供することにある。
【課題を解決するための手段】
【００１０】
上記目的を達成するため、本発明に係るカセッテ用ケーブルは、
基板上に二次元的に配列された検出素子を内蔵し当該検出素子に照射された放射線量に応じた電気信号を出力する可搬型の放射線画像検出カセッテに対し、電力の供給経路又は電気信号の転送経路の少なくとも一方を担うカセッテ用ケーブルであって、
一部に変形可能な平坦部を有することを特徴とするものである。
【００１１】
また、本発明に係る放射線画像検出ユニットは、
基板上に二次元的に配列された検出素子を内蔵し当該検出素子に照射された放射線量に応じた電気信号を出力する可搬型の放射線画像検出カセッテと、
当該放射線画像検出カセッテに対する電力の供給経路又は電気信号の転送経路の少なくとも一方を担うカセッテ用ケーブルと、を有し、
前記カセッテ用ケーブルの一部に変形可能な平坦部を有することを特徴とするものである。
【００１２】
また、本発明に係る放射線画像検出システムは、
基板上に二次元的に配列された検出素子を内蔵し当該検出素子に照射された放射線量に応じた電気信号を出力する可搬型の放射線画像検出カセッテと、
当該放射線画像検出カセッテがセットされる撮影台と、
当該放射線画像検出カセッテに対する電力の供給経路又は電気信号の転送経路の少なくとも一方を担うカセッテ用ケーブルと、を有し、
前記カセッテ用ケーブルの一部に変形可能な平坦部を有することを特徴とするものである。
【発明の効果】
【００１３】
本発明に係るカセッテ用ケーブル、放射線画像検出ユニット及び放射線画像検出システムによれば、既存の撮影台を改造等することなく、既存の撮影台を利用した場合でも適正にカセッテと外部機器を接続出来る。
【図面の簡単な説明】
【００１４】
【図１】放射線撮影システムの概略図である。
【図２】撮影台の内部構造を示す斜視図である。
【図３】ケーブルを示す概略図である。
【図４】撮影台にカセッテを縦にセットし、ケーブルによりされたカセッテとコンソールが接続された状態を示す説明図である。
【図５】図４における平坦部周辺の断面図である。
【図６】撮影台にカセッテを横にセットし、ケーブルによりされたカセッテとコンソールが接続された状態を示す説明図である。
【図７】平坦部の変形例を示す説明図である。
【図８】平坦部の変形例を示す説明図である。
【図９】平坦部の変形例を示す説明図である。
【発明を実施するための形態】
【００１５】
［放射線撮影システムの概要］
図１は、放射線撮影システム１の概略図である。図１に示すように、放射線撮影システム１は、破線で囲まれた放射線画像検出システム１０と、コンソール２０と、管理サーバ３０により構成されている。
【００１６】
破線で囲まれた放射線画像検出システム１０は、撮影台１２０を用いて患者Ｐに関する放射線画像を検出するシステムである。放射線画像検出システム１０は、主に、放射線照射部１１０と、撮影台１２０と、カセッテ１３０と、ケーブル（カセッテ用ケーブル）ＣＢにより構成されている（カセッテ１３０とケーブルＣＢが本発明における放射線画像検出ユニットに該当する）。
【００１７】
放射線照射部１１０は、放射線画像を撮影する場合、コンソール２０の制御信号に基づいて撮影台１２０のそばに居る患者Ｐに向けて放射線を照射する。撮影台１２０は、ＣＲカセッテを利用した放射線画像の撮影でも使用可能な既存の装置であり、撮影台１２０にセットされたカセッテ１３０は、放射線照射部１１０から照射して患者Ｐを透過した放射線を検出して放射線画像データを取得する。
【００１８】
カセッテ１３０は、基板上に複数の検出素子が二次元的に配列され、照射された放射線量に応じて発光する可視光を電荷に変換して光電変換素子に蓄積し、光電変換素子に蓄積した電荷を読み出すことにより放射線画像データである電気信号を出力する。カセッテ１３０の放射線入射方向の厚さは１６ｍｍ以下であることが好ましく、従来のスクリーン／フィルム用のカセッテにおける規格（ＪＩＳ  Ｚ  ４９０５）に準拠するサイズ（１５ｍｍ＋１ｍｍであり、かつ１５ｍｍ−２ｍｍ）の範囲内であることが好ましい（ＪＩＳ  Ｚ  ４９０５に対応する国際規格は、ＩＥＣ  ６０４０６である）。
【００１９】
コンソール２０は、主にカセッテ１３０の動作を制御する制御端末であり、カセッテ１３０で取得された放射線画像データに画像処理を行う。また、コンソール２０は、カセッテ１３０に対する電力供給も行っている。
【００２０】
カセッテ１３０とコンソール２０は、ケーブルＣＢにより接続されている。放射線画像検出システム１０において、カセッテ１３０とコンソール２０がケーブルＣＢにより接続された状態で放射線画像が撮影される。
【００２１】
カセッテ１３０で取得した放射線画像データは、ケーブルＣＢを通じてコンソール２０に転送される。また、カセッテ１３０に対する制御信号は、ケーブルＣＢを通じてコンソール２０からカセッテ１３０に転送される。更に、カセッテ１３０を動作させるための電力が、ケーブルＣＢを通じてコンソール２０からカセッテ１３０に供給されている。つまり、本実施形態におけるケーブルＣＢは、電気信号の転送経路及び電力の供給経路を担っている。
【００２２】
管理サーバ３０は、放射線撮影に関する情報を管理する機能を有する。
【００２３】
コンソール２０と管理サーバ３０は相互にネットワークＮを通じて接続されている。なお、ここでは図示してないが、放射線撮影システム１は、被写体診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００２４】
［撮影台の概要］
次に撮影台１２０の詳細な構造について説明する。図２は、撮影台１２０の内部構造を示す斜視図である。
【００２５】
図２（ａ）に示すように、撮影台１２０は、主に、支柱１２１と、カセッテ収容部１２２と、カセッテ支持部１２３から構成されている。カセッテ収容部１２２の側面には開口１２２Ａが設けられており、カセッテ収容部１２２に対してカセッテ支持部１２３が出し入れ可能となっている。
【００２６】
撮影台１２０にカセッテ１３０をセットする場合、まずカセッテ支持部１２３を矢印ａ方向に移動させてカセッテ収容部１２２から引き出し、カセッテ支持部１２３にセットする。そしてカセッテ支持部１２３を矢印ｂ方向に移動させてカセッテ収容部１２２の内部に収納させ、撮影台１２０に対するカセッテ１３０のセットが完了する。
【００２７】
図２（ｂ）に示すように、カセッテ支持部１２３をカセッテ収容部１２２の内部に収納すると、カセッテ支持部１２３の側面に設置された蓋１２３Ａがカセッテ収容部１２２の側壁１２２Ｂの付近まで移動して、蓋１２３Ａがカセッテ収容部１２２の開口１２２Ａを塞ぐ形となる。
【００２８】
［ケーブルＣＢの説明］
次にカセッテ１３０とコンソール２０を接続するケーブルＣＢ（図１参照）の構造について説明する。
【００２９】
前述したように、撮影台１２０は、ＣＲカセッテを利用した放射線画像の撮影でも使用可能な既存の装置であり、撮影台１２０の内部にカセッテ１３０がセットされると、カセッテ支持部１２３の側面に設置された蓋１２３Ａがカセッテ収容部１２２の開口１２２Ａを塞ぎ、撮影台１２０にはケーブルＣＢを通すような開口等が設けられていない。そこで、ケーブルＣＢには、蓋１２３Ａが開口１２２Ａを塞いだ状態でも、カセッテ１３０とコンソール２０を接続出来るよう、変形可能な平坦部Ｆが設けられている。以下、この点について詳しく説明する。
【００３０】
図３は、ケーブルＣＢを示す概略図である。図３（ａ）はケーブルＣＢの平面図であり、図３（ｂ）は、ケーブルＣＢの側面図である。
【００３１】
ケーブルＣＢの主な部分は、断面が円形（図３では不図示）であるケーブル線Ｌ１、Ｌ２と、図４に示すケーブル線Ｌ３である。図３において詳細な構造の表示を省略しているが、ケーブル線Ｌ１、Ｌ２は、電気信号の転送経路又は電力の供給経路を担う複数のコードが束となっている。
【００３２】
ケーブル線Ｌ１とケーブル線Ｌ２との間に、複数のコードが並んで平らな形状となっている平坦部Ｆが設けられている。平坦部Ｆはフレキシブルであり、変形可能である。平坦部Ｆの両側にはコネクターＫ１、Ｋ２が設置されており、コネクターＫ１、Ｋ２はカセッテ１３０に接続されるか、又はケーブル線Ｌ３（図４参照）のコネクターＫ３に接続される。図３に示すケーブルＣＢを用いて実際にカセッテ１３０とコンソール２０を接続した状態を図４〜図６を用いて説明する。
【００３３】
図４は、撮影台１２０にカセッテ１３０を縦にセットし、ケーブルＣＢによりカセッテ１３０とコンソール２０が接続された状態を示す説明図である。
【００３４】
図４で示すように、ケーブルＣＢのコネクターＫ１はカセッテ１３０に接続されており、ケーブルＣＢのコネクターＫ２はコンソール２０に接続されているケーブル線Ｌ３のコネクターＫ３に接続されている。図３で説明した平坦部Ｆは、図４のＸ領域に示すように、カセッテ収容部１２２の端部に位置するように配置される。
【００３５】
図５は、図４における矢印ｃ方向からみた平坦部Ｆ周辺の断面図である。
【００３６】
カセッテ支持部１２３をカセッテ収容部１２２の内部に収納すると、蓋１２３Ａがカセッテ収容部１２２の側壁１２２Ｂの付近まで移動して、蓋１２３Ａが開口１２２Ａを塞ぐようになるが、図５で示すように、蓋１２３Ａが開口１２２Ａを塞いでも平坦部Ｆが変形して蓋１２３Ａと側壁１２２Ｂとの隙間を通るため、カセット１３０とコンソール２０との接続状態を確保することが出来る。つまり、複数のコードを平らに並べた平坦部ＦをケーブルＣＢの一部に設けることにより、撮影台１２０にケーブルを通す開口等を設けるような改造を行う必要はなく、カセット１３０とコンソール２０とを有線ケーブルで適正に接続することが出来る。
【００３７】
図６は、撮影台１２０にカセッテ１３０を横にセットし、ケーブルＣＢによりされたカセッテ１３０とコンソール２０が接続された状態を示す説明図である。
【００３８】
撮影台１２０にカセッテ１３０を横にセットして放射線画像を検出する場合は、コネクターＫ１、Ｋ２の接続先を図４で示した形態と異ならせ、ケーブルＣＢのコネクターＫ２をカセッテ１３０に接続し、ケーブルＣＢのコネクターＫ１をコンソール２０に接続されているケーブル線Ｌ３のコネクターＫ３に接続するようにする。
【００３９】
ケーブル線Ｌ１とケーブル線Ｌ２の長さを比較すると、ケーブル線Ｌ１の方がケーブル線Ｌ２より長くなっている。つまり、平坦部ＦとコネクターＫ１との距離と、平坦部ＦとコネクターＫ２との距離が異なっている。
【００４０】
図４、図６で示すように、撮影台１２０を利用して放射線画像を検出する場合は、平坦部Ｆをカセッテ収容部１２２の端部に存在する蓋１２３Ａの位置にセットする必要があり、撮影台１２０にカセッテ１３０を縦にセットした場合と横にセットした場合で、平坦部Ｆとカセッテ１３０の接続先との距離が異なることとなる。
【００４１】
そこで、ケーブル線Ｌ１とケーブル線Ｌ２の長さを異ならせるようにしてコネクターＫ１及びコネクターＫ２をそれぞれ設け、カセッテ１３０のセット方向によりカセッテ１３０に接続するコネクターを反転させることにより、平坦部Ｆを所定の位置にセットしつつ、適正にカセッテ１３０とケーブルＣＢを接続することが出来る。平坦部Ｆの両側にコネクターＫ１、Ｋ２を設置することにより、ケーブルＣＢを反転させるだけで接続先の切り換えを行うことができ、利便性が良い。
【００４２】
平坦部Ｆのより好ましい形態として図７〜図９に変形例を示す。
【００４３】
前述したように、ケーブルＣＢの平坦部Ｆは複数のコードが並んで平らな形状になったものであり、このままでは電磁波による障害を発生しやすい。そこで、図７に示すように、平坦部Ｆの周囲をシールド部材Ｆ１、Ｆ２に覆い、電磁波による障害を抑えることが好ましい。
【００４４】
また、図８に示すように、平坦部Ｆの周囲に粘着剤Ｓを設置することが好ましい。このようにすれば、粘着剤ＳによりケーブルＣＢが蓋１２３Ａに固定される。その結果、撮影台１２０にカセッテ１３０をセットする際に、ケーブルＣＢを持ちつつカセッテ１３０をカセッテ支持部１２２にセットすることはなく、ケーブルＣＢを蓋１２３Ａに固定した状態で、カセッテ１３０をカセッテ支持部１２２にセット出来るため、ユーザーの作業性が向上する。
【００４５】
また、図９に示すように、平坦部Ｆを、板バネのように、屈曲形状を有し屈曲方向に付勢力を生ずる弾性を有する部材で構成し、当該屈曲部の弾性力で蓋１２３Ａを挟み込んで、平坦部Ｆの挟持力によりケーブルＣＢを蓋１２３Ａに固定するようにしても良い。このようにすれば、平坦部Ｆの周囲に粘着剤Ｓを設置する場合と同様に、ユーザーの作業性が向上する。
【符号の説明】
【００４６】
１  放射線撮影システム
１０  放射線画像検出システム
２０  コンソール
３０  管理サーバ
１１０  放射線照射部
１２０  撮影台
１２１  支柱
１２２  カセッテ収容部
１２３  カセッテ支持部
１３０  カセッテ
ＣＢ  ケーブル
Ｆ  平坦部
Ｋ１、Ｋ２、Ｋ３  コネクター
Ｌ１、Ｌ２、Ｌ３  ケーブル線
【図１】
2011139721.tif 000003
【図２】
2011139721.tif 000004
【図３】
2011139721.tif 000005
【図４】
2011139721.tif 000006
【図５】
2011139721.tif 000007
【図６】
2011139721.tif 000008
【図７】
2011139721.tif 000009
【図８】
2011139721.tif 000010
【図９】
2011139721.tif 000011